(57)【要約】      （修正有）【課題】携帯性に優れ、複数の写真を保持することが可能な携帯型アルバムを提供する。【解決手段】携帯型アルバム１は、主に、アルバム本体３およびストラップ５等から構成される。アルバム本体３は、写真を保持可能なホルダ９と、ホルダ９の表裏を覆うように設けられるカバー７ａ、７ｂ、保持ベルト１１等から構成される。カバー７ａ、７ｂは一体で形成され、略二つ折りで形成される。カバー７ａの外面には、保持ベルト１１が取り付けられる。保持ベルト１１の先端部には脱着部１３ａが設けられる。また、カバー７ｂの保持ベルト１１に対応する外面には脱着部１３ｂが設けられる。脱着部１３ａ、１３ｂは互いに脱着可能である。ホルダ９は、袋状であり、写真の挿入部における一方の側には、切欠きが形成される。ホルダ９の一方の側の側部には、複数の穴が設けられる。上記の穴は、綴じ部１５のリングに対応するものである。【選択図】図１
0003160209.tif 000002
【実用新案登録請求の範囲】
【請求項１】
携帯可能な携帯型アルバムであって、
写真を保持可能なホルダと、
前記ホルダの表裏に設けられるカバーと、
前記カバーを閉じた状態で保持可能なカバー保持部材と、
を有するアルバム本体と、
前記アルバム本体に取り付けられるストラップと、
を具備することを特徴とする携帯型アルバム。
【請求項２】
表裏それぞれの前記カバーの内面側には、ホルダ保持部が形成され、複数ページからなる前記ホルダの最初および／または最終のページが前記ホルダ保持部で保持可能であることを特徴とする請求項１記載の携帯型アルバム。
【請求項３】
前記アルバム本体には、前記ホルダを脱着可能に保持する綴じ具が設けられることを特徴とする請求項１または請求項２に記載の携帯型アルバム。
【請求項４】
前記ホルダは袋状であり、前記ホルダの写真挿入部の端部には、切り欠きが形成されることを特徴とする請求項１から請求項３のいずれかに記載の携帯型アルバム。
【請求項５】
前記ホルダは写真台紙であり、前記写真台紙には写真を貼り付けることが可能であることを特徴とする請求項１から請求項３のいずれかに記載の携帯型アルバム。
【請求項６】
表裏のそれぞれの前記カバーは、前記カバーを閉じた状態で、互いに対応するキャラクターの外形形状であり、
前記ホルダの外形が、前記カバーの外形の全部または一部に対応する外形であることを特徴とする請求項１から請求項５のいずれかにに記載の携帯型アルバム。
【請求項７】
表裏の少なくとも一方の側の前記カバーは、透明であり、
前記カバーを閉じた状態でも外部から写真を視認可能であることを特徴とする請求項１から請求項６のいずれかに記載の携帯型アルバム。
【考案の詳細な説明】
【技術分野】
【０００１】
本考案は、携帯が可能であり、写真を保持可能な携帯型アルバムに関するものである。
【背景技術】
【０００２】
従来、写真を保持するアルバムは各種存在する。撮った写真をアルバム台紙に貼り付け、または挿入して写真を閲覧することができる。通常、アルバムは、より多くの写真を効率良く保持可能であるか、いろいろなサイズの写真を一括で保持するように改善がなされている。
【０００３】
このようなアルバムとしては、例えば複数サイズの写真を混在状態で格納可能なように、写真の出し入れ口を複数方向に形成したアルバムがある（特許文献１）。
【先行技術文献】
【特許文献】
【０００４】
【特許文献１】特開平６−４２２４０号公報
【考案の開示】
【考案が解決しようとする課題】
【０００５】
しかし、特許文献１に記載されるアルバムは、様々なサイズに対応するため、大型であり、アルバム自体を持ち歩くことは考慮されていない。
【０００６】
一方、最近では、各所に画像プリント装置等が設置され、（例えばシール付き）写真等を容易に入手することができる。また、携帯型の画像印刷機能付きのカメラ等が開発されており、日常生活の中で、このような写真を入手する機会が増加している。このような写真は、手帳や携帯電話等に張り付けるなどして持ち歩くことが多い。
【０００７】
しかしながら、手帳は、このようにして得られる写真に対しては大きすぎ、必ずしも携帯性に優れるものではない。また、携帯電話等に貼り付けたのでは、携帯中に写真表面が汚れたり剥がれたりすることがある。このため、このような写真を保持するアルバムとして、携帯性を考慮したものが望まれる。
【０００８】
本考案は、このような問題に鑑みてなされたもので、携帯性に優れ、複数の写真を保持することが可能な携帯型アルバムを提供することを目的とする。
【課題を解決するための手段】
【０００９】
前述した目的を達成するため、本考案は、携帯可能な携帯型アルバムであって、写真を保持可能なホルダと、前記ホルダの表裏に設けられるカバーと、前記カバーを閉じた状態で保持可能なカバー保持部材と、を有するアルバム本体と、前記アルバム本体に取り付けられるストラップと、を具備することを特徴とする携帯型アルバムである。
【００１０】
表裏それぞれの前記カバーの内面側には、ホルダ保持部が形成され、複数ページからなる前記ホルダの最初および／または最終のページが前記ホルダ保持部で保持可能であってもよい。
【００１１】
前記アルバム本体には、前記ホルダを脱着可能に保持する綴じ具が設けられてもよい。
【００１２】
前記ホルダは袋状であり、前記ホルダの写真挿入部の端部には、切り欠きが形成されてもよく、前記ホルダは写真台紙であり、写真台紙には写真を貼り付けることが可能であってもよい。
【００１３】
表裏のそれぞれの前記カバーは、前記カバーを閉じた状態で、互いに対応するキャラクターの外形形状であり、前記ホルダの外形が、前記カバーの外形の全部または一部に対応する外形であってもよい。
【００１４】
表裏の少なくとも一方の側の前記カバーは、透明であり、前記カバーを閉じた状態でも外部から写真を視認可能であってもよい。
【００１５】
本考案によれば、写真を保持可能なホルダにカバーが設けられ、アルバム本体にはストラップが形成されることから、携帯が容易であり、また写真の汚れや剥がれなどが生じることがない。また、カバーを閉じた状態で保持可能な保持ベルトやチャックなどのカバー保持部材が設けられるため、携帯中にアルバムから写真が脱落することがなく、写真を確実に保持することができる。
【００１６】
また、カバーの裏側にホルダ保持部を形成し、複数ページからなるホルダの最初のページまたは最終ページの少なくともいずれかが、ホルダ保持部で保持可能であれば、ホルダを容易にカバーに取り付けることができ、確実にホルダを保持することができる。なお、複数ページからなるホルダとは、各ページの写真ホルダが、一方の側部を接着、融着、縫製、その他機械的部材等を用いて、各ページをめくることが可能な「本」状態に構成するか、または、複数ページが構成されるように、帯状の部材が山谷に繰り返し折り返されるように構成してもよい。この場合、帯状部材の両端がホルダの最初のページまたは最終ページとなる。
【００１７】
また、複数のホルダを脱着可能に保持可能な綴じ具を設ければ、ホルダのページ数を容易に増減することができる。
【００１８】
また、ホルダが袋状であれば、写真をホルダに挿入することで保持することができる。なお、この場合には、ホルダは透明であることが必要である。また、袋状の写真挿入部に切り欠き部を形成すれば、写真のホルダへの挿入が容易である。
【００１９】
また、ホルダが写真台紙であって、写真が張り付け可能であれば、シールつき写真などを容易に保持することができる。
【００２０】
また、カバーの形状をキャラクターの外形形状とすることで、携帯時において、アルバム自体の装飾性が優れる。また、内部に保持されるホルダの外形をカバーの外形に対応させることで、より意匠性に優れ、保持された写真の閲覧時にも見た目に優れる。また、ホルダがカバーからはみ出さないため、写真をより確実に保持できるとともに、カバーの大きさに対して写真の保持スペースを最大限に確保することができる。
【００２１】
また、表裏のカバーの少なくとも一方を透明とすることで、内部に保持した写真を、カバーを閉じた状態でも視認することができる。
【考案の効果】
【００２２】
本考案によれば、携帯性に優れ、複数の写真を保持することが可能な携帯型アルバムを提供することができる。
【図面の簡単な説明】
【００２３】
【図１】カバーが開いた状態の携帯型アルバム１を示す斜視図。
【図２】カバーを閉じた状態の携帯型アルバム１を示す斜視図。
【図３】カバーが開いた状態の携帯型アルバム１を示す正面図。
【図４】ホルダ９に写真２３を挿入する状態を示す図。
【図５】（ａ）は携帯型アルバム１ａを示す正面図、（ｂ）は携帯型アルバム１ｂを示す正面図。
【図６】携帯型アルバム１ｃを示すで、（ａ）はホルダ９ａを外した状態を示す図、（ｂ）はルダ９ｂを取り付けた状態を示す図。
【図７】閉じた状態の携帯型アルバム３０を示す図。
【図８】開いた状態の携帯型アルバム３０を示す図。
【図９】開いた状態の携帯型アルバム３０ａを示す図。
【考案を実施するための形態】
【００２４】
以下、本考案の実施の形態を詳細に説明する。図１、図２は、本考案の実施の形態にかかる携帯型アルバム１を示す図である。
【００２５】
携帯型アルバム１は、主に、アルバム本体３およびストラップ５等から構成される。アルバム本体３は、写真を保持可能なホルダ９と、ホルダ９の表裏を覆うように設けられるカバー７ａ、７ｂ、保持ベルト１１等から構成される。
【００２６】
カバー７ａ、７ｂは一体で形成され、略二つ折りで形成される。カバー７ａの外面には、カバー保持部材である保持ベルト１１が取り付けられる。保持ベルト１１の先端部には脱着部１３ａが設けられる。また、カバー７ｂの保持ベルト１１に対応する外面には脱着部１３ｂが設けられる。
【００２７】
脱着部１３ａ、１３ｂは互いに脱着可能である。脱着部１３ａ、１３ｂを互いに接合すると、カバー７ａ、７ｂは、閉じた状態で保持され、脱着部１３ａ、１３ｂを互いに外すと、カバー７ａ、７ｂは、開いた状態となる。脱着部１３ａ、１３ｂとしては、例えば面状ファスナや、ボタン等が用いられる。なお、カバー７ａ、７ｂは、樹脂、紙、布、革等いずれの材料でも良い。なお、カバー７ａ、７ｂのいずれか、または両方が透明であれば、内部のホルダ９（ホルダに収容された写真）を外部から視認することができる。また、保持ベルト１１に代えて、カバー７ａ、７ｂは、閉じた状態で保持するチャックを設けてもよい。
【００２８】
カバー７ａ、７ｂの境界部はアルバム本体３の背表紙に対応する。カバー７ａ、７ｂの背表紙の内面側には、ホルダ９を保持するための綴じ部１５が設けられる。すなわち、ホルダ９は綴じ部１５によりカバー７ａ、７ｂに取り付けられる。
【００２９】
アルバム本体３の背表紙の上端部近傍には、ストラップ取付部１７が設けられる。ストラップ取付部１７は、例えば、孔である。ストラップ取付部には、ストラップ５が取り付けられる。ストラップ５により、アルバム本体３は、鞄や携帯電話等に取り付けて携帯することができる。
【００３０】
図３は、携帯型アルバム１を開いた状態の正面図である。綴じ部１５は、例えば複数のリングよりなる。綴じ部１５のリングは、開閉可能であり、ホルダ９の脱着が可能である。
【００３１】
図４は、ホルダ９への写真の挿入状態を示す図である。ホルダ９は、袋状であり、写真の挿入部における一方の側には、切欠き２１が形成される。切欠き２１により、写真２３の挿入が容易となる。ホルダ９の一方の側の側部には、複数の穴１９が設けられる。穴１９は、綴じ部１５のリングに対応するものである。すなわち、図３に示すように、複数のホルダ９が、綴じ部１５に取り付けられて保持される。なお、綴じ部１５を開くことで、ホルダ９のページ数を容易に増減することができる。
【００３２】
なお、ホルダ９は、例えば透明の樹脂製である。したがって、使用者は、ホルダ９内に保持された写真２３を、アルバムを見るようにして閲覧することができる。また、携帯型アルバム１は、携帯性を考慮して、概ね４０ｍｍ高さｘ３０ｍｍ幅ｘ１５ｍｍ厚以下であることが望ましいが、携帯性に影響を及ぼさない範囲で適宜設定することができる。
【００３３】
図５は、本実施形態の変形例を示す図である。図５（ａ）に示すように、カバー７ａ（７ｂ）の裏面側に、別途、写真保持部２５を形成した、携帯型アルバム１ａを用いてもよい。写真保持部２５を袋状にすることで、カバー７ａ（７ｂ）の裏側にも写真２３を保持することができる。写真保持部２５を透明にすることで、カバー７ａ（７ｂ）裏面に保持した写真も、外部から容易に閲覧することができる。
【００３４】
また、図５（ｂ）に示す携帯型アルバム１ｂのように、カバー７ａ（７ｂ）裏面への写真の保持は、写真保持部材２５ａ、２５ｂとしてもよい。写真２３の下端および上端近傍を保持可能な写真保持部材２５ａ、２５ｂにより写真２３を保持することができる。この場合、写真保持部材２５ａは浅い袋状であり、写真保持部材２５ｂは両端がカバーに固定された帯状の部材である。このようにすることで、写真の視認性が向上する。
【００３５】
また、図６に示すように、ホルダ９ａを保持部材２６により保持する携帯型アルバム１ｃとしてもよい。携帯型アルバム１ｃでは、綴じ部１５がなく、ホルダ９ａには、綴じ部１５に対応する穴１９が設けられない。ホルダ９ａは、あらかじめ複数ページとなるように構成される。
【００３６】
ホルダ９ａとしては、複数ページが形成されれば良く、前述した袋状のホルダの側部を接着、融着、縫製、その他機械的部材等を用いて一体化し、各ページをめくることが可能な「本」状態に構成すれば良い。また、各ページは、袋状ではなく、台紙としてもよい。この場合、写真を張り付け可能な樹脂、紙、その他の部材でホルダ９ａを構成すれば良い。また、完全な、「本」状態とならなくとも、複数ページが構成されるように、帯状の部材を山谷に繰り返し折り返すことで構成してもよい。
【００３７】
図６（ａ）に示すように、携帯型アルバム１ｃのカバー７ａ、７ｂの裏面には、保持部材２６が設けられる。保持部材２６は、カバー７ａ、７ｂを開いた状態で、内方（背表紙側）が開口した袋状部材である。ホルダ９ａの最初のページおよび最後のページをそれぞれ、カバー７ａ、７ｂの保持部材２６に挿入することで（図中矢印Ｂ、Ｃ方向）、ホルダ９ａがカバー７ａ、７ｂに取り付けられる（図６（ｂ））。保持部材２６が透明であれば、挿入したページに保持（挿入または貼り付け）された写真２３も、容易に視認することができる。
【００３８】
なお、保持部材２６は、カバー７ａ、７ｂのいずれかのみに形成してもよく、または、前述した綴じ部１５により、ホルダ９ａを保持してもよい。
【００３９】
第１の実施形態によれば、小型であり、ストラップ５が取り付けられるため、携帯性に優れるアルバムを得ることができる。また、カバー７ａ、７ｂが設けられ、保持ベルト１１によってカバー７ａ、７ｂを閉じた状態で保持可能であるため、携帯時に写真が脱落したり汚れたりすることがない。
【００４０】
また、ホルダ９には写真２３を容易に挿入することができ、または、写真をホルダ９に貼り付けることができる。このため、ページをめくるように写真２３を閲覧することができる。なお、携帯型アルバムの携帯性等を考慮すると、１ページに１枚の写真を保持させることが望ましい。
【００４１】
次に、第２の実施の形態について説明する。図７、図８は、第２の実施の形態にかかる携帯型アルバム３０を示す図である。なお、以下の実施の形態において、図１等に示す携帯型アルバム１と同様の機能を奏する構成については、図１等と同一の符号を付して、重複する説明を省略する。
【００４２】
携帯型アルバム３０は、携帯型アルバム１等と略同様の構成であるが、カバー３１ａ、３１ｂの外形が異なる。携帯型アルバム３０のカバー３１ａ、３１ｂは、キャラクターの外形を有し、図８に示すように、カバー３１ａ、３１ｂは対応した形状である。このため、図７に示すように、カバー３１ａ、３１ｂを閉じた状態では、互いの外形が略一致する。
【００４３】
カバー３１ａ、３１ｂは透明でもよいが、キャラクターに応じた図柄等が付されてもよい。この場合、カバー３１ａと３１ｂとで、キャラクターの前面図および背面図が付されてもよい。
【００４４】
図８に示すように、携帯型アルバム３０のホルダ３３は、カバー３１ａ、３１ｂの外形に対応した形状である。なお、ホルダ３３は、カバー３１ａ、３１ｂ全体の外形と対応させてもよく、または、図８に示すように、その一部のみに対応させてもよい。たとえば、カバー３１ａ、３１ｂの下半分の外形にホルダ３３の外形を対応させてもよい。図８の例では、カバー３１ａ、３１ｂの上部および下端部（脚部）には、ホルダ３３はカバー３１ａ、３１ｂの外形には対応せず、その他の部位にのみ外形が対応する。
【００４５】
なお、ホルダ３３の外形は、カバー３１ａ、３１ｂの外形と完全に一致する必要はないが、携帯性や写真の保持を考慮すると、ホルダ３３の一部が、カバー３１ａ、３１ｂの輪郭から突出しないことが望ましい。
【００４６】
図８に示すように、ホルダ３３が袋状である場合には、内部に挿入する写真が視認できるように、ホルダ３３は透明であることが望ましい。また、ホルダ３３に挿入される写真は、ホルダ３３に挿入可能なサイズの矩形の写真であってもよく、または、ホルダ３３の形状に合うように切ってもよい。ホルダ形状に切って挿入すれば、より、見た目に優れるアルバムを得ることができる。
【００４７】
また、ホルダ３３に代えて、図９に示すような「本」状態のホルダ３３ａを用いてもよい。図９に示す携帯型アルバム３０ａは、カバー３１ａ、３１ｂの裏面に、保持部材３５が形成される。保持部材３５は、携帯型アルバム１ｃ（図６（ａ））の保持部材２６に対応する。
【００４８】
前述したとおり、ホルダ３３ａの最初のページまたは最後のページが保持部材３５に挿入される。このため、保持部材３５は、ホルダ３３ａが挿入可能な形状である。すなわち、保持部材３５もカバー３１ａ、３１ｂの外形の全部または一部（ホルダ３３ａの外形）に対応した形状を有する。
【００４９】
ホルダ３３ａとしては、各ページを袋状としてもよく、または、写真を張り付けるための台紙としてもよい。写真を張り付ける場合であっても、キャラクター形状の台紙上に矩形の写真を張り付けてもよく、または台紙形状に合わせて写真を切って貼り付けてもよい。
【００５０】
第２の実施の形態にかかる携帯型アルバム３０等によれば、携帯型アルバム１等と同様の効果を得ることができる。また、カバー３１ａ、３１ｂの外形をキャラクター形状とすることで、携帯時の意匠性に優れる。また、さらに、ホルダ形状をカバー形状に対応させることで、ホルダがカバーからはみ出すことがなく、このため、見た目に優れ、写真を確実に保持することができる。
【００５１】
また、ホルダのサイズをカバーに対して最大限広くすることができるため、保持可能な写真のサイズを確保することができる。
【００５２】
以上、添付図を参照しながら、本考案の実施の形態を説明したが、本考案の技術的範囲は、前述した実施の形態に左右されない。当業者であれば、実用新案登録請求の範囲に記載された技術的思想の範疇内において各種の変更例または修正例に想到し得ることは明らかであり、それらについても当然に本考案の技術的範囲に属するものと了解される。
【符号の説明】
【００５３】
１、１ａ、１ｂ、１ｃ、３０………携帯型アルバム
３………アルバム本体
５………ストラップ
７ａ、７ｂ、３１ａ、３１ｂ………カバー
９、９ａ、３３、３３ａ………ホルダ
１１………保持ベルト
１３ａ、１３ｂ………脱着部
１５………綴じ部
１７………ストラップ取付部
１９………穴
２１………切り欠き
２３………写真
２５、２５ａ、２５ｂ………写真保持部材
２６、３５………保持部材
【図１】
0003160209.tif 000003
【図２】
0003160209.tif 000004
【図３】
0003160209.tif 000005
【図４】
0003160209.tif 000006
【図５】
0003160209.tif 000007
【図６】
0003160209.tif 000008
【図７】
0003160209.tif 000009
【図８】
0003160209.tif 000010
【図９】
0003160209.tif 000011